(57)【要約】【課題】外部からの内部処理の解析を防止し、セキュリティ性を向上するＩＣ装置、携帯型情報記憶媒体及び記憶装置を提供する。【解決手段】情報を記憶する第１ＲＯＭ１５Ａと、Ｒ／Ｗからのコマンドに応じて第１ＲＯＭ１５Ａに記憶されている情報にアクセスするＣＰＵとを有する第１ＩＣチップ１２Ａと、第１ＲＯＭ１５Ａと同一の情報を記憶する第２ＲＯＭ１５Ｂと、Ｒ／Ｗからのコマンドに応じて第２ＲＯＭ１５ＢにアクセスするＣＰＵとを有する第２ＩＣチップ１２Ｂとを備えるＩＣカードであって、第１ＩＣチップ１２ＡのＣＰＵが第１ＲＯＭ１５Ａにアクセスした場合に、このアクセスによって第１ＲＯＭ１５Ａから生じる磁界と同様のタイミングで、同様の強さの磁界を、近傍の位置で、第２ＩＣチップ１２ＢのＣＰＵが第２ＲＯＭ１５Ｂにアクセスすることによって発生させることを特徴とする。【選択図】図２
2006293581.tif 000002
【特許請求の範囲】
【請求項１】
情報を記憶する第１の記憶手段と、外部から入力した命令に応じて前記第１の記憶手段に記憶されている情報にアクセスする第１のアクセス手段とを備え、携帯型情報記憶媒体に設置するためのＩＣ装置において、
前記第１のアクセス手段が前記第１の記憶手段にアクセスした場合に、このアクセスによって前記第１の記憶手段から生じる磁界と同様のタイミングで、同様の強さの磁界を、近傍で発生させる磁界発生手段を備えること、
を特徴とするＩＣ装置。
【請求項２】
請求項１に記載のＩＣ装置において、
前記磁界発生手段は、前記第１の記憶手段に記憶されている情報と同一の情報を記憶する第２の記憶手段と、外部から入力した命令に応じて、前記第１のアクセス手段が前記第１の記憶手段にアクセスする場合に、前記第２の記憶手段に記憶されている同一の情報にアクセスする第２のアクセス手段とを有すること、
を特徴とするＩＣ装置。
【請求項３】
請求項２に記載のＩＣ装置において、
前記第１及び第２の記憶手段は、同一の情報を異なる配置で記憶するＲＯＭであること、
を特徴とするＩＣ装置。
【請求項４】
請求項２又は請求項３に記載のＩＣ装置において、
前記第１及び第２の記憶手段は、略並行な向きに、重なるように設けられ、同一の情報を、表面方向と並行な面上における異なる位置にそれぞれ記憶すること、
を特徴とするＩＣ装置。
【請求項５】
請求項４に記載のＩＣ装置において、
前記第１及び第２の記憶手段は、同一の情報を、表面方向と並行な面上における前記第１及び第２の記憶手段の中央点について点対称となる位置にそれぞれ記憶すること、
を特徴とするＩＣ装置。
【請求項６】
請求項２又は請求項３に記載のＩＣ装置において、
前記第１及び第２の記憶手段は、略並行で逆向きに、重なるように設けられ、同一の情報を、表面方向と並行な面上における略同一の位置にそれぞれ記憶すること、
を特徴とするＩＣ装置。
【請求項７】
請求項２から請求項６までのいずれか１項に記載のＩＣ装置と、
外部装置から命令を受信する受信手段とを備え、
前記ＩＣ装置の第１及び第２のアクセス手段は、前記受信手段が受信した命令に応じて、それぞれ前記第１及び第２の記憶手段に記憶されている同一の情報にアクセスし、それぞれ同様の処理を行う第１及び第２の処理手段であって、
前記第１及び／又は第２の処理手段による処理結果に基づいた応答を前記外部装置へ送信する送信手段を備えること、
を特徴とする携帯型情報記憶媒体。
【請求項８】
請求項７に記載の携帯型情報記憶媒体において、
前記送信手段が送信する応答を、前記第１の処理手段の処理結果に基づいた応答から前記第２の処理手段の処理結果に基づいた応答へ切り替える切り替え手段を備えること、
を特徴とする携帯型情報記憶媒体。
【請求項９】
携帯型情報記憶媒体に設置するための記憶装置において、
同一の情報を記憶し、重なるように設けられている複数の記憶手段を備えること、
を特徴とする記憶装置。
【発明の詳細な説明】
【技術分野】
【０００１】
本発明は、外部から入力した命令に応じて記憶している情報にアクセスする、携帯型情報記憶媒体に設置するためのＩＣ装置、ＩＣ装置を備える携帯型情報記憶媒体、及び、携帯型情報記憶媒体に設置するための記憶装置に関するものである。
【背景技術】
【０００２】
ＩＣチップの消費電流の差異、消費電力の差異、バスの周囲に形成される磁界の強さの差異から伝送情報が外部に漏洩することを防止するため、伝達情報の信号を伝送するバスと、ダミーとなる反転信号を伝送するバスとを備えるＩＣチップがある（例えば、特許文献１参照。）。
【特許文献１】特開２００１−１０１０８１号
【発明の開示】
【発明が解決しようとする課題】
【０００３】
一方、近年、図４に示すように、ＩＣチップのＣＰＵがＲＯＭに格納されているプログラム、データの読み出し、書き込みを行うなど、ＲＯＭ１５−２にＣＰＵがアクセスする際にＲＯＭ１５−２に流れる電流によって発生する電磁波を、精度の高いアンテナ３０を使用して測定し、ＣＰＵがＲＯＭ１５−２のどの位置（Ｄ１，Ｄ２）にアクセスしているかなどの情報を得て、ＩＣチップ内部の処理の解析を行う電磁波差分解析という解析方法が登場している。この解析方法によって、磁界の変位を測定し、プログラムが分岐する際に、ジャンプ先のプログラムがＲＯＭ１５−２のどの位置に格納されているかを知り、ＩＣチップの処理解析の糸口とすることができ、ひいては、セキュリティデータ（主に暗号鍵）が特定されてしまうおそれがあった。
また、従来の技術によって、この解析方法に対抗し、内部処理の解析を防止することは困難である。
【０００４】
本発明の課題は、外部からの内部処理の解析を防止し、セキュリティ性を向上するＩＣ装置、携帯型情報記憶媒体及び記憶装置を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。すなわち、請求項１の発明は、情報を記憶する第１の記憶手段（１５Ａ）と、外部から入力した命令に応じて前記第１の記憶手段に記憶されている情報にアクセスする第１のアクセス手段（１３（１２Ａ））とを備え、携帯型情報記憶媒体に設置するためのＩＣ装置において、前記第１のアクセス手段が前記第１の記憶手段にアクセスした場合に、このアクセスによって前記第１の記憶手段から生じる磁界と同様のタイミングで、同様の強さの磁界を、近傍で発生させる磁界発生手段（１３（１２Ｂ），１５Ｂ）を備えること、を特徴とするＩＣ装置（１２Ａ，１２Ｂ）である。
【０００６】
請求項２の発明は、請求項１に記載のＩＣ装置において、前記磁界発生手段は、前記第１の記憶手段に記憶されている情報と同一の情報を記憶する第２の記憶手段（１５Ｂ）と、外部から入力した命令に応じて、前記第１のアクセス手段が前記第１の記憶手段にアクセスする場合に、前記第２の記憶手段に記憶されている同一の情報にアクセスする第２のアクセス手段（１３（１２Ｂ））とを有すること、を特徴とするＩＣ装置（１２Ａ，１２Ｂ）である。
【０００７】
請求項３の発明は、請求項２に記載のＩＣ装置において、前記第１及び第２の記憶手段は、同一の情報を異なる配置で記憶するＲＯＭであること、を特徴とするＩＣ装置（１２Ａ，１２Ｂ）である。
【０００８】
請求項４の発明は、請求項２又は請求項３に記載のＩＣ装置において、前記第１及び第２の記憶手段は、略並行な向きに、重なるように設けられ、同一の情報を、表面方向と並行な面上における異なる位置にそれぞれ記憶すること、を特徴とするＩＣ装置（１２Ａ，１２Ｂ）である。
【０００９】
請求項５の発明は、請求項４に記載のＩＣ装置において、前記第１及び第２の記憶手段は、同一の情報を、表面方向と並行な面上における前記第１及び第２の記憶手段の中央点について点対称となる位置にそれぞれ記憶すること、を特徴とするＩＣ装置（１２Ａ，１２Ｂ）である。
【００１０】
請求項６の発明は、請求項２又は請求項３に記載のＩＣ装置において、前記第１及び第２の記憶手段は、略並行で逆向きに、重なるように設けられ、同一の情報を、表面方向と並行な面上における略同一の位置にそれぞれ記憶すること、を特徴とするＩＣ装置である。
【００１１】
請求項７の発明は、請求項２から請求項６までのいずれか１項に記載のＩＣ装置と、外部装置から命令を受信する受信手段（１１）とを備え、前記ＩＣ装置の第１及び第２のアクセス手段は、前記受信手段が受信した命令に応じて、それぞれ前記第１及び第２の記憶手段に記憶されている同一の情報にアクセスし、それぞれ同様の処理を行う第１及び第２の処理手段であって、前記第１及び／又は第２の処理手段による処理結果に基づいた応答を前記外部装置へ送信する送信手段（１１）を備えること、を特徴とする携帯型情報記憶媒体（１０）である。
【００１２】
請求項８の発明は、請求項７に記載の携帯型情報記憶媒体において、前記送信手段が送信する応答を、前記第１の処理手段の処理結果に基づいた応答から前記第２の処理手段の処理結果に基づいた応答へ切り替える切り替え手段を備えること、を特徴とする携帯型情報記憶媒体である。
【００１３】
請求項９の発明は、携帯型情報記憶媒体に設置するための記憶装置において、同一の情報を記憶し、重なるように設けられている複数の記憶手段（１５Ａ，１５Ｂ）を備えること、を特徴とする記憶装置（１５Ａ，１５Ｂ）である。
【発明の効果】
【００１４】
本発明によるＩＣ装置、携帯型情報記憶媒体及びＩＣ装置によれば、以下の効果を得ることが可能となる。
（１）第１の記憶手段から生じる磁界と同様のタイミングで、同様の強さの磁界を、近傍の位置で発生させることによって、第１の記憶手段のいずれの位置に記憶されている情報がアクセスされているかを磁界の測定から解析することを困難とし、内部処理の解析を防止し、セキュリティ性を向上する。
（２）第１の記憶手段と同一の情報を記憶する第２の記憶手段と、第１のアクセス手段と同様のタイミングで第２の記憶手段にアクセスする第２のアクセス手段とを備えることによって、同様のタイミングで、同様の強さの磁界を近傍の位置に容易に発生させることが可能となる。例えば、同一の情報を記憶し、同一の機能を有する２つのＩＣチップを利用することも可能となる。
（３）第１及び第２の記憶手段がＲＯＭであることによって、製造コストを抑制し、かつ、容易に同一の情報を記憶する２つの記憶手段を製造することが可能である。また、同一の情報を異なる配置で記憶することによって、ＲＯＭにおける情報の配置を解析することが一層困難となる。
（４）第１及び第２の記憶手段を略並行な向きに、重なるように設けることによって、第１及び第２の各アクセス手段によるアクセスをそれぞれ解析することが一層困難となり、内部処理の解析を防止し、セキュリティ性を向上する。
（５）第１及び第２の記憶手段が、点対称となる位置にそれぞれ同一の情報を記憶することによって、特に、磁界の変位を測定することが難しくなり、プログラムが分岐する際にジャンプ先がどの位置にあるかを特定することを困難とし、内部処理の解析を防止し、セキュリティ性を向上する。
（６）第１及び第２の記憶手段が、略並行で逆向きに、重なるように設けられ、同一の情報を略同一の位置にそれぞれ記憶することによって、第１及び第２の記憶手段がそれぞれアクセスされることによって略同一の位置から逆向きに発生する電磁波が互いにうち消し合い、磁界の測定を困難とし、内部処理の解析を防止することが可能である。
（７）第１又は第２の処理手段による処理結果に基づいた応答を送信することによって、一般的な外部装置と通信を行うことができ、実用性及び汎用性を向上する。また、第１及び第２の処理手段による処理結果に基づいた応答を送信することによって、例えば、各処理手段による処理のチェックを行い、精度の高い応答を送信することが可能となる。
（８）切り替え手段を備えることによって、第１の処理手段、第１の記憶手段が故障した場合などの予備として第２の処理手段、第２の記憶手段を使用することが可能となる。
（９）同一の情報を異なる位置で記憶し、重なるように設けられている複数の記憶手段を備えることによって、記憶手段がアクセスされる場合に発生する磁界の測定に基づいた内部処理の解析を防止し、セキュリティ性を向上する。
【発明を実施するための最良の形態】
【００１５】
本発明は、外部からの内部処理の解析を防止し、セキュリティ性を向上するという目的を、情報を記憶する第１の記憶部と、外部から入力した命令に応じて第１の記憶部に記憶されている情報にアクセスする第１のアクセス部と、第１の記憶部と同一の情報を記憶する第２の記憶部と、外部から入力した命令に応じて第２の記憶部にアクセスする第２のアクセス部とを備えるＩＣ装置であって、第１のアクセス部が第１の記憶部へアクセスすることにより第１の記憶部から発生する磁界と同様の強さの磁界を、第２のアクセス部が第２の記憶部へアクセスすることによって、同様のタイミングで、近傍で発生させることによって実現する。
【実施例】
【００１６】
以下、図面などを参照して、本発明の実施例をあげて、さらに詳しく説明する。
図１は、本発明によるＩＣ装置、携帯型情報記憶媒体及び記憶装置の構成を示すブロック図である。本実施例におけるＩＣ装置は、第１ＩＣチップ１２Ａ及び第２ＩＣチップ１２Ｂであり、携帯型情報記憶媒体は、ＩＣカード１０、記憶装置は、第１ＲＯＭ１５Ａ及び第２ＲＯＭ１５Ｂである。
図１に示すように、ＩＣカード１０は、第１ＩＣチップ１２Ａ及び第２ＩＣチップ１２Ｂ、この第１及び第２のＩＣチップ１２Ａ，１２Ｂに接続されているＩ／Ｆ１１などが、カード基材などの基材（図示しない。）に搭載されている。ＩＣカード１０は、リーダライタ２０（以下、「リーダライタ」を「Ｒ／Ｗ」という。）から受信する命令であるコマンドに応じて処理を行い、処理結果に基づいた応答であるレスポンスを返信する携帯型情報記憶媒体である。なお、携帯型情報記憶媒体とは、ＩＣカード、ＳＩＭカード（Ｓｕｂｓｃｒｉｂｅｒ  Ｉｄｅｎｔｉｔｙ  Ｍｏｄｕｌｅ）、ＵＩＭカード（Ｕｓｅｒ  Ｉｄｅｎｔｉｔｙ  Ｍｏｄｕｌｅ）、また、携帯電話、携帯ホルダなどに挿入されるＳＩＭカード又はＵＩＭカードなど、ＩＣチップと、Ｒ／Ｗ２０などの外部装置及びＩＣチップ間の通信を媒介するインターフェイスなどとを備え、このＩＣチップ内のデータにアクセスするために外部装置による所定の処理が必要な機密性の高い携帯型の情報処理装置である。
【００１７】
Ｉ／Ｆ１１は、ＩＣカード１０が接触式の通信を行う場合には、Ｒ／Ｗ２０との接触式通信における接点となる接触端子、ＩＣカード１０が非接触式の通信を行う場合には、電磁波の送受信を行うアンテナなどである。Ｉ／Ｆ１１は、Ｒ／Ｗ２０から受信する入力信号に応じたコマンドを第１及び第２のＩＣチップ１２Ａ，１２Ｂへ出力する。Ｉ／Ｆ１１は、第１ＩＣチップ１２Ａからの出力信号に応じたレスポンスをＲ／Ｗ２０へ送信するが、第２ＩＣチップ１２Ｂからの出力信号についての出力回路が短絡され、第２ＩＣチップ１２Ｂからの出力信号を消去し、Ｒ／Ｗ２０へ送信しない。なお、ＩＣカード１０は、接触式ＩＣカード、非接触式ＩＣカード、接触／非接触式ＩＣカードのいずれであってもよく、その通信方式は、限定されない。
【００１８】
第１及び第２のＩＣチップ１２Ａ，１２Ｂは、Ｒ／Ｗ２０から同一のコマンドをＩ／Ｆ１１を介して受信し、このコマンドに応じてそれぞれ同一の処理を行い、処理結果を含むレスポンスをそれぞれＩ／Ｆ１１へ出力する。
第１及び第２のＩＣチップ１２Ａ，１２Ｂは、同一の情報を記憶し、同一の機能を有し、同時期に同一の処理を行う。第１及び第２のＩＣチップ１２Ａ，１２Ｂは、略同様の構成を備えている。以下、第１ＩＣチップ１２Ａの構成を説明し、第２のＩＣチップ１２Ｂの同様の構成については説明を省略する。第１及び第２のＩＣチップ１２Ａ，１２Ｂの相違点については、図２を用いて後述する。
第１ＩＣチップ１２Ａは、ＣＰＵ１３と、ＣＰＵ１３に接続されているＲＡＭ１４、第１ＲＯＭ１５Ａ及びＥＥＰＲＯＭ１６などとを備え、第２ＩＣチップ１２Ｂは、第１ＲＯＭ１５Ａに代えて第２ＲＯＭ１５Ｂを備えている。
【００１９】
ＣＰＵ１３は、種々の演算、制御などを行い、ＩＣカード１０を統括制御する中央処理装置である。ＣＰＵ１３は、Ｉ／Ｆ１１から入力するコマンドに応じて、第１ＲＯＭ１５Ａ、ＥＥＰＲＯＭ１６などのメモリに格納されているＯＳ、アプリケーションなどのプログラムを実行し、処理結果をＩ／Ｆ１１へ出力する。第１及び第２のＩＣチップ１２Ａ，１２ＢのＣＰＵ１３は、それぞれ同時期に同一のコマンドに応じた処理を行い、同一の処理結果を得る。
【００２０】
ＲＡＭ１４は、揮発性メモリであり、ＣＰＵ１３が処理を行うための作業領域として使用される。第１ＲＯＭ１５Ａ及び第２ＲＯＭ１５Ｂは、不揮発性の読み出し専用メモリであって、オペレーティングシステム（ＯＳ）、アプリケーションなどのプログラムなどを記憶している。第１ＲＯＭ１５Ａ及び第２ＲＯＭ１５Ｂは、同一の機能を有し、同一の情報、つまり、同一のプログラム及びデータを記憶している。ＥＥＰＲＯＭ１６は、ＥＥＰＲＯＭ、フラッシュメモリ、ＦＲＡＭなどの随時書き換え可能な不揮発性のメモリであって、通常ユーザのワークエリア、プログラムエリアなどとして使用される。第１及び第２のＩＣチップ１２Ａ，１２ＢのＥＥＰＲＯＭ１６は、同一の情報を記憶している。
【００２１】
図２は、本発明によるＩＣ装置、携帯型情報記憶媒体及び記憶装置の構造を示す概略図である。
図２に示すように、第１ＩＣチップ１２ＡのＲＡＭ１４、第１ＲＯＭ１５Ａ及びＥＥＰＲＯＭ１６は、第２ＩＣチップ１２ＢのＲＡＭ１４、第２ＲＯＭ１５Ｂ及びＥＥＰＲＯＭ１６とそれぞれハードウェア（ＨＡＲＤＷＡＲＥ）を介して重なるようにＩＣカード１０内に搭載されている。ハードウェアとは、ＣＰＵ１３、暗号演算用コプロセッサ、ＲＮＧ（乱数生成機）、ＵＡＲＴ（通信装置）、異常検出回路、ノイズ発生装置など、各ＩＣチップ１２Ａ，１２Ｂのハードウェアの集合体である。
第１ＲＯＭ１５Ａの領域ＤＡ１に格納されているプログラムは、第２ＲＯＭ１５Ｂの領域ＤＢ１に格納され、第１ＲＯＭ１５Ａの領域ＤＡ２に格納されているプログラムは、第２ＲＯＭ１５Ｂの領域ＤＢ２に格納されている。つまり、第１ＲＯＭ１５Ａ及び第２ＲＯＭ１５Ｂは、表面方向に略並行な面上で、第１ＲＯＭ１５Ａ及び第２ＲＯＭ１５Ｂの中央点Ｐ０について点対称となる位置に同一の情報をそれぞれ格納している。
第１ＲＯＭ１５Ａ及び第２ＲＯＭ１５Ｂは、ウェハーの処理工程において、点対称の回路パターンを有する２種類のフォトマスクを用いて露光を行うなどの方法によって製造される。
【００２２】
このように、本実施例によれば、第１ＲＯＭ１５ＡにＣＰＵ１３がアクセスすることによって生じる磁界と同様のタイミングで、同様の強さの磁界を、近傍の位置で発生させるため、第１ＲＯＭ１５Ａのいずれの位置に記憶されている情報にＣＰＵ１５Ａがアクセスしているかを磁界の測定から解析することを困難とし、内部処理の解析を防止し、セキュリティ性を向上することが可能となった。特に、第１ＩＣチップ１２Ａと同様の機能を有する第２ＩＣチップ１２Ｂによって、同様の強さの磁界を、同様のタイミングで、同様の強さの磁界を、近傍の位置で容易に発生させることが可能となった。
【００２３】
また、点対称の位置に同一の情報を記憶する第１ＲＯＭ１５Ａ及び第２ＲＯＭ１５Ｂを利用することによって、製造コストを抑制し、かつ、容易に第１ＲＯＭ１５Ａ及び第２ＲＯＭ１５Ｂを製造することが可能となった。更に、磁界の変位の測定を困難とし、プログラムが分岐する際にジャンプ先の特定を防止して内部処理の解析を防止し、セキュリティ性を向上することが可能となった。
更にまた、第１ＩＣチップ１２Ａによる処理結果に基づいたレスポンスを送信するため、一般的なＲ／Ｗ２０と通信を行うことができ、実用性及び汎用性を向上することが可能となった。
【００２４】
（変形例）
以上説明した実施例に限定されることなく、種々の変形や変更が可能であって、それらも本発明の均等の範囲内である。例えば、携帯型情報記憶媒体としてＩＣカード１０を記載したが、携帯型情報記憶媒体は、これに限定されず、他の携帯型情報記憶媒体であってもよい。
【００２５】
ＩＣカード１０は、Ｒ／Ｗ２０からのコマンドに応じて、第１及び第２のＩＣチップ１２Ａ，１２Ｂのいずれからの出力をＲ／Ｗ２０へ送信するかを切り替える切り替え手段を備えていてもよい。第１ＩＣチップ１２Ａが故障した場合などの予備として第２ＩＣチップ１２Ｂを使用することが可能となる。
【００２６】
ＩＣカード１０は、第１ＲＯＭ１５Ａ及び第２ＲＯＭ１５Ｂと同様に、第１及び第２のＩＣチップ１２Ａ，１２ＢのＥＥＰＲＯＭ１６への情報の格納先がＥＥＰＲＯＭ１６の中央点に対して点対称となるように、各ＥＥＰＲＯＭ１６へ情報を格納してもよい。ＥＥＰＲＯＭ１６から発生する電磁波の測定による内部処理の解析を防止することが可能となる。
【００２７】
ＩＣカード１０は、第１ＲＯＭ１５Ａ及び第２ＲＯＭ１５Ｂに、表面方向の面上で点対称となる位置に同一の情報をそれぞれ格納しているが、各ＲＯＭ１５Ａ，１５Ｂにおける相対的な格納位置は、これに限定されず、不規則な相対位置に同一の情報が格納されていてもよい。また、第１ＲＯＭ１５Ａ及び第２ＲＡＭ１５Ｂは、すべての情報について、表面方向に並行な面上において異なる位置に格納する必要はない。更に、第１ＲＯＭ１５Ａ及び第２ＲＯＭ１５Ｂは、記憶している情報が全く同一でなくてもよく、一部異なっていてもよい。
【００２８】
ＩＣカード１０は、第１ＲＯＭ１５Ａ及び第２ＲＯＭ１５Ｂを略並行で逆向きに、重なるように設置し、表面方向の面上で同一の位置に、同一の情報を記憶してもよい。略同一の位置から逆向きに発生する電磁波が互いにうち消し合い、磁界の測定を困難とし、内部処理の解析を防止することが可能である。
【００２９】
ＩＣカード１０は、Ｉ／Ｆ１１で第２ＩＣチップ１２Ｂからの出力を消去し、Ｒ／Ｗ２０に送信するレスポンスを制限しているが、レスポンスの制限方法はこれに限定されず、第２ＩＣチップ１２ＢのＣＰＵ１３が制限してもよい。また、レスポンスをＲ／Ｗ２０側で解析することができれば、制限する必要はない。
【００３０】
ＩＣカード１０には、第１ＩＣチップ１２ＡのＲＡＭ１４、第１ＲＯＭ１５Ａ及びＥＥＰＲＯＭ１６と、第２ＩＣチップ１２ＢのＲＡＭ１４、第２ＲＯＭ１５Ｂ及びＥＥＰＲＯＭ１６とがそれぞれ重なるように設けられているが、少なくとも第１ＲＯＭ１５Ａ及び第２ＲＯＭが重なるように設けられていればよく、アクセス位置の外部への漏洩を防止する対象となるメモリが重なるように設けられていればよい。また、第１ＲＯＭ１５Ａ及び第２ＲＯＭ１５Ｂの一部が重なるように設けられていてもよい。
更に、第１ＲＯＭ１５Ａ及び第２ＲＯＭ１５Ｂが近傍に設けられていれば、重なっていなくともよい。第１ＩＣチップ１２ＡのＣＰＵ１３が第１ＲＯＭ１５Ａにアクセスし、磁界が生じた場合に、第２ＩＣチップ１２Ｂが同様のタイミングで、同様の強さの磁界を、近傍の位置で発生させることができればよい。
【００３１】
ＩＣカード１０は、第１及び第２のＩＣチップ１２Ａ，１２Ｂの２つのＩＣチップを備えているが、ＩＣチップの数は、これに限定されない。
また、ＩＣカード１０は、第２ＩＣチップ１２Ｂの代わりに、ＣＰＵ１３が第１ＲＯＭ１５Ａにアクセスし、磁界が生じた場合に、同様のタイミングで、同様の強さの磁界を、近傍の異なる位置で発生させることができる電気回路などのダミーを備えていてもよい。
【００３２】
ＩＣカード１０は、第１ＩＣチップ１２Ａ及び第２ＩＣチップ１２Ｂによる処理結果に基づいたレスポンスをＲ／Ｗ２０に送信してもよい。例えば、各処理手段による処理のチェックを行い、精度の高いレスポンスを送信することが可能となる。
【図面の簡単な説明】
【００３３】
【図１】本発明によるＩＣ装置、携帯型情報記憶媒体及び記憶装置の構成を示すブロック図である。
【図２】本発明によるＩＣ装置、携帯型情報記憶媒体及び記憶装置の構造を示す概略図である。
【図３】従来の記憶装置の構造を示す概略図である。
【符号の説明】
【００３４】
１０  ＩＣカード
１１  Ｉ／Ｆ
１２Ａ  第１ＩＣチップ
１２Ｂ  第２ＩＣチップ
１３  ＣＰＵ
１４  ＲＡＭ
１５Ａ  第１ＲＯＭ
１５Ｂ  第２ＲＯＭ
１６  ＥＥＰＲＯＭ
２０  Ｒ／Ｗ
【図１】
2006293581.tif 000003
【図２】
2006293581.tif 000004
【図３】
2006293581.tif 000005